【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
粒子を含む試料から得られる測定試料を測定し、試料に含まれる粒子の複数の特徴情報を取得する測定部と、
前記測定部により取得された前記複数の特徴情報に基づいて、試料に含まれる特定の種類の粒子の粒子数、および前記特定の種類とは異なる複数種類の粒子の各粒子数を取得し、前記複数種類の粒子のうち粒子数を補正する対象粒子を選択し、前記特定の種類の粒子の粒子数を用いて、前記対象粒子の粒子数を補正する制御部と、を備える粒子分析装置。
【請求項２】
前記複数の特徴情報は、第１特徴情報、第２特徴情報および第３特徴情報を含み、
前記制御部は、前記第１特徴情報および前記第２特徴情報に基づいて、前記特定の種類の粒子数を取得し、前記第２特徴情報および前記第３特徴情報に基づいて、前記複数種類の粒子の各粒子数を取得するとともに、前記対象粒子を選択する、請求項１に記載の粒子分析装置。
【請求項３】
前記測定部は、試料と第１試薬とから調製される第１測定試料を測定することにより、試料に含まれる粒子の第１特徴情報および第２特徴情報を取得し、かつ、試料と前記第１試薬とは異なる第２試薬とから調製される第２測定試料を測定することにより、試料に含まれる粒子の第２特徴情報および第３特徴情報を取得する、請求項２記載の粒子分析装置。
【請求項４】
前記制御部は、前記第２特徴情報および前記第３特徴情報に基づいて、試料に含まれる粒子を前記複数種類の粒子の各粒子集団に分類し、各粒子集団に属する粒子数を取得し、各粒子集団に属する粒子のうち、前記第２特徴情報および前記第３特徴情報に基づいて特定される前記特定の種類の粒子が出現する領域に出現する粒子数に基づいて、前記対象粒子を選択する、請求項２または３に記載の粒子分析装置。
【請求項５】
前記制御部は、前記第２特徴情報および前記第３特徴情報を用いて、試料に含まれる粒子の粒子分布図を作成する、請求項２〜４のいずれかに記載の粒子分析装置。
【請求項６】
前記制御部は、前記対象粒子の粒子数から前記特定の種類の粒子の粒子数を減算することにより、前記対象粒子の粒子数を補正する請求項１〜５のいずれか１項に記載の粒子分析装置。
【請求項７】
前記特定の種類の粒子は、有核赤血球であり、前記複数種類の粒子は、リンパ球および好中球を含む請求項１〜６のいずれか１項に記載の粒子分析装置。
【請求項８】
前記第１特徴情報は、前方散乱光強度であり、
前記第２特徴情報は、側方蛍光強度であり、
前記第３特徴情報は、側方散乱光強度である請求項２〜５のいずれか１項に記載の粒子分析装置。
【請求項９】
前記制御部は、前記試料中に前記特定の種類の粒子が存在するか否かを判定し、前記試料中に前記特定の種類の粒子が存在すると判定した場合には、前記対象粒子の粒子数を補正し、前記試料中に前記特定の種類の粒子が存在しないと判定した場合には、前記複数種類の粒子の粒子数を補正しない、請求項１〜８のいずれか１項に記載の粒子分析装置。
【請求項１０】
分析結果を出力するための出力部をさらに備え、
前記制御部は、前記対象粒子の粒子数を補正した場合には、補正により得られた粒子数を出力部に出力させる、請求項９記載の粒子分析装置。
【請求項１１】
前記制御部は、前記対象粒子の粒子数を補正した場合には、補正により得られた粒子数と、この粒子数が補正されたものであることを示す情報とを前記出力部に出力させる請求項１０記載の粒子分析装置。
【請求項１２】
粒子を含む試料から得られる測定試料を測定し、試料に含まれる粒子の複数の特徴情報を取得する測定部と、
前記測定部により取得された前記複数の特徴情報に基づいて、特定の種類の粒子の粒子数、および前記特定の種類とは異なる複数種類の粒子の各粒子数を取得し、前記複数種類の粒子の各粒子数を補正するための補正の度合いを決定し、前記特定の種類の粒子の粒子数および前記補正の度合いに基づき、前記複数種類の粒子の各粒子数を補正する制御部と、を備える粒子分析装置。
【請求項１３】
前記複数の特徴情報は、第１特徴情報、第２特徴情報および第３特徴情報を含み、
前記制御部は、前記第１特徴情報および前記第２特徴情報に基づいて、前記特定の種類の粒子数を取得し、前記第２特徴情報および前記第３特徴情報に基づいて、前記複数種類の粒子の各粒子数を取得するとともに、前記補正の度合いを決定する、請求項１２に記載の粒子分析装置。
【請求項１４】
前記制御部は、前記第２特徴情報および前記第３特徴情報に基づいて、試料に含まれる粒子を前記複数種類の粒子の各粒子集団に分類し、各粒子集団に属する粒子数を取得し、各粒子集団に属する粒子のうち、前記第２特徴情報および前記第３特徴情報に基づいて特定される前記特定の種類の粒子が出現する領域に出現する粒子数に基づいて、前記補正の度合いを決定する、請求項１３記載の粒子分析装置。
【請求項１５】
前記制御部は、前記領域に出現する粒子数のうち各粒子集団に属する粒子数の比率をそれぞれ算出し、前記特定の種類の粒子の粒子数を、前記比率に応じて、前記複数種類の粒子の各粒子数から減算する、請求項１４記載の粒子分析装置。
【請求項１６】
（ａ）粒子を含む試料から得られる測定試料を測定し、試料に含まれる粒子の複数の特徴情報を取得するステップと、
（ｂ）ステップ（ａ）により取得された前記複数の特徴情報に基づいて、試料に含まれる特定の種類の粒子の粒子数、および前記特定の種類とは異なる複数種類の粒子の各粒子数を取得するステップと、
（ｃ）ステップ（ａ）により取得された前記複数の特徴情報に基づいて、ステップ（ｂ）により粒子数が取得された前記複数種類の粒子のうち、粒子数を補正する対象粒子を選択するステップと、
（ｄ）ステップ（ｂ）により取得された前記特定の種類の粒子の粒子数を用いて、ステップ（ｃ）により選択された対象粒子の粒子数を補正するステップと、を備える粒子分析方法。
【請求項１７】
粒子を含む試料から得られる測定試料を測定し、試料に含まれる粒子の複数の特徴情報を取得する測定装置に接続されたコンピュータを、
前記測定装置により取得された前記複数の特徴情報に基づいて、試料に含まれる特定の種類の粒子の粒子数、および前記特定の種類とは異なる複数種類の粒子の各粒子数を取得する粒子数取得手段と、
前記特徴情報取得手段により取得された前記複数の特徴情報に基づいて、前記粒子数取得手段により粒子数が取得された前記複数種類の粒子のうち、粒子数を補正する対象粒子を選択する選択手段と、
前記粒子数取得手段により取得された前記特定の種類の粒子の粒子数を用いて、前記選択手段により選択された対象粒子の粒子数を補正する補正手段として機能させるためのコンピュータプログラム。
【手続補正２】
【補正対象書類名】明細書
【補正対象項目名】０００７
【補正方法】変更
【補正の内容】
【０００７】
本発明の第１の局面による粒子分析装置は、粒子を含む試料から得られる測定試料を測定し、試料に含まれる粒子の複数の特徴情報を取得する測定部と、前記測定部により取得された前記複数の特徴情報に基づいて、試料に含まれる特定の種類の粒子の粒子数、および前記特定の種類とは異なる複数種類の粒子の各粒子数を取得し、前記複数種類の粒子のうち粒子数を補正する対象粒子を選択し、前記特定の種類の粒子の粒子数を用いて、前記対象粒子の粒子数を補正する制御部と、を備えることを特徴とする。
【手続補正３】
【補正対象書類名】明細書
【補正対象項目名】０００８
【補正方法】変更
【補正の内容】
【０００８】
本発明の第２の局面による粒子分析装置は、粒子を含む試料から得られる測定試料を測定し、試料に含まれる粒子の複数の特徴情報を取得する測定部と、前記測定部により取得された前記複数の特徴情報に基づいて、特定の種類の粒子の粒子数、および前記特定の種類とは異なる複数種類の粒子の各粒子数を取得し、前記複数種類の粒子の各粒子数を補正するための補正の度合いを決定し、前記特定の種類の粒子の粒子数および前記補正の度合いに基づき、前記複数種類の粒子の各粒子数を補正する制御部と、を備えることを特徴とする。